(57)【要約】【課題】空調時に空気の乱流による騒音を生じにくく、かつ温度変化によって回動操作感が変化し難く良好な操作感を得られ、しかも美観に優れる空調用風向調節装置を提供する。【解決手段】縦フィン２１と横フィン３１の少なくとも一方のフィンが両端で枠体１１に回動可能に軸支されて回動可能フィンとされ、前記一方の回動可能フィンとは異なる複数のフィンのうち、一つのフィンの片面には、該フィンの長手方向に沿って凹部３３が形成されると共に、前記凹部３３に該フィンの長手方向に沿ってスライド可能なスライド部材４１が配設され、前記スライド部材４１には、前記回動可能フィンと係合して前記スライド部材のスライドにより前記回動可能フィンを回動させる係合部４３と、前記枠体の空気吹出側へ突出して設けられたスライド操作用ノブ５１とを有する。【選択図】図４
2006123616.tif 000002
【特許請求の範囲】
【請求項１】
前側が空気吹出側、後側が空気入口側とされた枠体内に、空気の吹出方向調節用として複数の縦フィンと複数の横フィンが、一方のフィンを前記空気吹出側とし、他方のフィンを前記空気入口側として配設されると共に、前記縦フィンと前記横フィンの少なくとも一方のフィンが両端で前記枠体に回動可能に軸支されて回動可能フィンとされた空調用風向調節装置において、
前記一方の回動可能フィンとは異なる複数のフィンのうち、一つのフィンの片面には、該フィンの長手方向に沿って凹部が形成されると共に、前記凹部に該フィンの長手方向に沿ってスライド可能なスライド部材が配設され、
前記スライド部材には、前記一方の回動可能フィンと係合して前記スライド部材のスライドにより前記一方の回動可能フィンを回動させる係合部と、前記枠体の空気吹出側へ突出して設けられたスライド操作用ノブまたはスライド操作用ノブと係合する係合部を有することを特徴とする空調用風向調節装置。
【請求項２】
前記一方の回動可能フィンとは異なる前記複数のフィンは、前記枠体の空気吹出側に位置し、
前記一方の回動可能フィンは、前記空気入口側に位置し、
前記凹部の形成されたフィンには、該フィンの後部側に前記凹部が設けられ、
前記凹部に配設された前記スライド部材の後部側に前記一方の回動可能フィンと係合する前記係合部が設けられていることを特徴とする請求項１に記載の空調用風向調節装置。
【請求項３】
前記スライド部材の係合部は、前記一方の回動可能フィンの前後方向の一端部が挿入されて該一端部と係合する切り欠き凹部からなることを特徴とする請求項１または２に記載の空調用風向調節装置。
【請求項４】
前記スライド部材の係合部は、前記一方の回動可能フィンの前後方向の一端部を挟む爪形状からなることを特徴とする請求項１または２に記載の空調用風向調節装置。
【請求項５】
前記一方の回動可能フィンとは異なる前記複数のフィンが、前記枠体に固定されて前記枠体と一体に回動可能とされていることを特徴とする請求項１から４の何れか一項に記載の空調用風向調節装置。
【発明の詳細な説明】
【技術分野】
【０００１】
本発明は、自動車等の空調用風向調節装置に関する。
【背景技術】
【０００２】
例えば、自動車においては、インストルメントパネルの両縁及び中央部等に空調用風向調節装置が設けられ、エアコン等からの空気の吹き出し方向を調節可能にしている。
【０００３】
従来における空調用風向調節装置として、図７に示す空調用風向調節装置６０がある。前記空調用風向調節装置６０は、枠体６１内に複数の縦フィン７１と複数の横フィン８１が設けられている。また、図示の例では、横フィン８１は枠体６１に固定された固定フィンとされ、それに対して縦フィン７１は両端で枠体６１に回動可能に軸支された回動可能フィンとされ、さらに、枠体６１はインストルメントパネルの開口部に上下方向への回動を可能として取り付けられるように構成されている。前記空調用風向調節装置６０は、図８から容易に理解されるように、複数の縦フィン（回動可能フィン）７１に回動用リンク部材９１が取り付けられ、複数の縦フィン（回動可能フィン）７１のうち１つの縦フィンに設けられた操作部９５を左右に動かすことによって、複数の縦フィン７１を同時に左右へ回動可能に構成されている。前記空調用風向調節装置６０において、上下方向へ風向を調節する場合には、前記枠体６１を横フィン（固定フィン）８１と共に上下方向へ回動させ、また、左右方向へ風向を調節する場合には、前記操作部９５によって縦フィン７１を左右方向へ回動させる。なお、前記固定フィンは枠体と一体に形成されたものと、枠体とは別体で形成され、その後に嵌着や接着等で枠体に固定されたものとがある。
【０００４】
しかし、前記回動用リンク部材９１を用いる空調用風向調節装置６０においては、回動用リンク部材９１がフィン間、あるいはフィンと枠体の内壁面間に存在するため、空調用風向調節装置６０内を空気が流れる際に空気の流れが乱されて騒音を生じ易い問題や、回動用リンク部材９１が外部から視認されて美観を損なう問題がある。さらに、前記回動用リンク部材９１は、前記複数の回動可能フィン（図示の例では縦フィン７１）の端部にそれぞれ形成されたピン７３を挿入するためのピン用孔９２が形成され、前記ピン用孔９２に回動可能フィンのピン７３が挿通されることによって、複数の回動可能フィンを同時に回動させるようになっていることから、空調用風向調節装置６０内を通過する温風や冷風による温度変化に起因する伸縮でピン用孔９２の間隔変化等を生じて回動可能フィンを回動させる際の摩擦抵抗が変化し、操作感が変化する問題もある。
【特許文献１】特開平７−８９３３８号公報
【発明の開示】
【発明が解決しようとする課題】
【０００５】
本発明は前記の点に鑑みなされたものであって、空調時に空気の乱流による騒音を生じ難く、かつ温度変化によって回動操作感が変化し難く良好な操作感を安定して得られ、しかも美観に優れる空調用風向調節装置の提供を目的とする。
【課題を解決するための手段】
【０００６】
請求項１の発明は、前側が空気吹出側、後側が空気入口側とされた枠体内に、空気の吹出方向調節用として複数の縦フィンと複数の横フィンが、一方のフィンを前記空気吹出側とし、他方のフィンを前記空気入口側として配設されると共に、前記縦フィンと前記横フィンの少なくとも一方のフィンが両端で前記枠体に回動可能に軸支されて回動可能フィンとされた空調用風向調節装置において、前記一方の回動可能フィンとは異なる複数のフィンのうち、一つのフィンの片面には、該フィンの長手方向に沿って凹部が形成されると共に、前記凹部に該フィンの長手方向に沿ってスライド可能なスライド部材が配設され、前記スライド部材には、前記一方の回動可能フィンと係合して前記スライド部材のスライドにより前記一方の回動可能フィンを回動させる係合部と、前記枠体の空気吹出側へ突出して設けられたスライド操作用ノブまたはスライド操作用ノブと係合する係合部を有することを特徴とする。
【０００７】
請求項２の発明は、請求項１において、前記一方の回動可能フィンとは異なる前記複数のフィンが、前記枠体の空気吹出側に位置し、前記一方の回動可能フィンが、前記空気入口側に位置し、前記凹部の形成されたフィンには、該フィンの後部側に前記凹部が設けられ、前記凹部に配設された前記スライド部材の後部側に前記一方の回動可能フィンと係合する前記係合部が設けられていることを特徴とする。
【０００８】
請求項３の発明は、請求項１または２において、前記スライド部材の係合部は、前記一方の回動可能フィンの前後方向の一端部が挿入されて該一端部と係合する切り欠き凹部からなることを特徴とする。
【０００９】
請求項４の発明は、請求項１または２において、前記スライド部材の係合部は、前記一方の回動可能フィンの前後方向の一端部を挟む爪形状からなることを特徴とする。
【００１０】
請求項５の発明は、請求項１から４の何れか一項において、前記一方の回動可能フィンとは異なる前記複数のフィンが、前記枠体に固定されて前記枠体と一体に回動可能とされていることを特徴とする。
【発明の効果】
【００１１】
本発明の空調用風向調節装置によれば、複数の縦フィンと複数の横フィンの少なくとも一方のフィンが回動可能な回動可能フィンとされ、前記一方の複数の回動可能フィンを回動させるスライド部材が、前記一方の回動可能フィンとは異なる一つのフィンの片面に形成された凹部に配置されているため、スライド部材が配置されたフィンの表面から突出するスライド部材の突出量を少なくすることができる。それにより、空調用風向調節装置内を空気が通過する際に、スライド部材が空気の流れを乱し難くなって、乱流による騒音発生を抑えることができる。また、空調用風向調節装置の外部からは、スライド部材がフィンの一部として認識されるため、空調用風向調節装置の美観が向上する。
【００１２】
さらに、スライド部材の係合部を、前記一方の回動可能フィンの前後方向の一端部が挿入されて該一端部と係合する切り欠き凹部にしたり、前記一方の回動可能フィンの前後方向の一端部を挟む爪形状にすることにより、温度変化によって枠体やフィン及びスライド部材が伸縮しても、前記スライド部材のスライドによる回動操作感の変化が少なく、良好な操作感が安定して得られる。
【発明を実施するための最良の形態】
【００１３】
図１は本発明の一実施形態に係る空調用風向調節装置の斜視図、図２は同空調用風向調節装置の回動用リンクプレートを外した状態を示す斜視図、図３は同空調用風向調節装置における横フィン、縦フィン、スライド部材及びスライド操作用ノブを示す斜視図、図４は同空調用風向調節装置におけるスライド部材が配置されたフィン及びスライド操作用ノブを示す斜視図、図５は同空調用風向調節装置におけるスライド部材の組み付けを示す斜視図である。
【００１４】
図１及び図２に示す本発明の一実施形態に係る空調用風向調節装置１０は、自動車のインストルメンパネル等の内装部品に取り付けられる自動車用のものであり、枠体１１内に、図３に示す縦フィン２１、横フィン３１、スライド部材４１及びスライド操作用ノブ５１を有し、前記枠体１１外面には回動用リンクプレート３８を有する。本実施例における前記枠体１１、縦フィン２１、横フィン３１、スライド部材４１、スライド操作用ノブ５１及び回動用リンクプレート３８は、それぞれプラスチック製からなる。なお、図示の空調用風向調節装置１０は、横型タイプと称される。また、図示の例では、複数の横フィン３１については、枠体１１の左側側面１４の外面に配置された回動用リンクプレート３８によって連結され、一横フィンを上下に回動させることによって他の横フィンも同時に上下回動可能になっている。それに対し、縦フィン２１についてはスライド操作用ノブ５１の操作によって左右に回動可能な回動可能フィンとされている。
【００１５】
枠体１１は、上面１２、下面１３、左側側面１４及び右側側面１５で構成される四角形の短筒状からなり、内側が空気通路となっている。前記枠体１１の前側が車室内への空気吹出側１１Ａ、後側が空調装置のダクトと接続される空気入口側１１Ｂとされる。前記枠体１１の上面１２及び下面１３には、前記空気入口側１１Ｂ寄りに、縦フィン軸支孔１６が縦フィン２１の配置位置と対応して複数形成されている。前記縦フィン軸支孔１６は、図示の例では、前記上面１２及び下面１３の内面に形成され、外面に非貫通とされているが、外面まで貫通したものでもよい。また、前記枠体１１の左側側面１４及び右側側面１５には、前記空気吹出側１１Ａ寄りに、横フィン軸支孔１７が横フィン３１の配置位置と対応して複数形成されている。前記横フィン軸支孔１７のうち、所定位置、図示の例では上から二番目の横フィン軸支孔１７ａについては、前記左側側面１４及び右側側面１５の内外面を貫通して形成され、他の横フィン軸支孔１７ｂについては、前記左側側面１４及び右側側面１５の内面に形成され、外面には非貫通とされているが、横フィン軸支孔１７の全てを外面まで貫通したものとしてもよい。さらに、図２に示すように、前記枠体１１の左側側面１４には、前記枠体１１の横フィン軸支孔１７と枠体１１の前端との間に、リンクピン用長孔３７が上下に形成されている。前記リンクピン用長孔３７は、後述するように横フィン３１の左端に形成されているリンクピン３５が挿入されて、横フィン３１の上下回動時にリンクピン３５が円弧運動可能な大きさとされている。
【００１６】
また、前記枠体１１の左側側面１４及び右側側面１５の外面には、取付軸１８が形成されている。前記取付軸１８は、前記空調用風向調節装置１０が取り付けられる内装部品に形成されている開口部の左右の側面に軸支され、それによって、空調用風向調節装置１０が内装部品に取り付けられる。
【００１７】
縦フィン２１は、風向の左右方向調節を行うものであって、上下方向に縦長な板状体からなり、図示の例では、前記枠体１１内に４個取り付けられる。図３及び図５にも示すように、前記縦フィン２１の長手方向両端、すなわち上下方向両端には縦フィン回動軸２２が形成されている。前記縦フィン回動軸２２は、前記枠体１１の上面１２及び下面１３に形成された縦フィン軸支孔１６に挿入されて、前記縦フィン２１の左右方向への回動を可能にする。前記縦フィン２１は、前記枠体１１の後側である空気入口側１１Ｂに配置され、前記枠体１１の前側である空気吹出側１１Ａに配置される横フィン２１を邪魔しない前後幅寸法とされる。また、図示の縦フィン２１は、図５らよりよく理解されるように、前端の上下略中間位置に前方（枠体１１の前方）側へ突出した凸部形状の縦フィン側係合部２３が形成されている。
【００１８】
横フィン３１は、風向の上下方向調節を行うものであって、左右方向に横長な板状体からなり、図示の例では、前記枠体１１内に４個取り付けられる。図３ないし図５からよりよく理解されるように、前記横フィン３１の長手方向両端、すなわち左右方向両端には横フィン回動軸３２が形成され、前記枠体１１の左側側面１４及び右側側面１５に形成された横フィン軸支孔１７に挿入されて枠体１１内に上下一定間隔で取り付けられ、前記枠体１１に対して回動可能にされる。また、前記横フィン３１の左端には、リンクピン３５が突出形成されている。前記リンクピン３５は、前記枠体１１の左側側面１４のリンクピン用長孔３５に挿通され、さらに前記左側側面１４の外面に配置された回動用リンクプレート３８に挿通係止される。なお、前記回動用リンクプレート３８には、一定の上下間隔でリンクピン挿通孔が形成され、該リンクピン挿通孔に前記リンクピン３５が回動可能に挿通される。
【００１９】
また、本実施例では、上から二番面の横フィン３１ａについては、片面（図の例では下面）の後部側半分の部分が、横フィン３１ａの長手方向（左右の横方向）に沿って窪んだ凹部３３とされ、前記凹部３３で横フィン３１ａの厚みが薄くされている。前記横フィン３１ａの前端と凹部３３間の厚みが大の部分３１ｂには、横フィン３１ａの両端間中央部に上下面を貫通する操作用ノブ取付孔３４が形成されている。また、前記凹部３３が形成されている横フィン３１ａは、両端の横フィン回動軸３２ａが、前記凹部３３と対応する側（図示の例では下側）で切り欠かれた半割形状とされている。
【００２０】
前記横フィン３１ａの凹部３３には、前記横フィン３１ａの長手方向にスライド可能なスライド部材４１が配置される。前記スライド部材４１は、本実施例では横フィン３１ａの長手方向に沿って長い板状体からなる。前記スライド部材４１の厚みは、前記凹部３３の深さと略等しい厚みにされて前記横フィン３１ａの下面とスライド部材４１の下面が略面一となるようにされている。また、前記スライド部材４１の長手方向（図示の例では左右方向）の寸法は、前記枠体１１内でスライド部材４１が横フィン３１ａの長手方向（図示の例では左右方向）にスライド可能なように、前記枠体１１の左側側面１４と右側側面１５の内面間距離よりも所要量短くされている。また、前記スライド部材４１の前後幅（奥行き）は、前記横フィン３１ａの凹部３３にスライド部材４１が配置された際に、前記縦フィン２1側となるスライド部材４１の後端４２が、前記横フィン３１ａの後端、すなわち横フィン３１ａの凹部３３の後端３３ａから、前記縦フィン２１側へ所要量突出する寸法とされる。
【００２１】
前記スライド部材４１の後端４２には、前記複数の縦フィン２１の前端、すなわち前記横フィン３１の後端と対向する側に形成された前記凸部形状の縦フィン側係合部２３と係合する係合部４３が、前記複数の縦フィン２１の間隔に合わせて形成されている。図示の例では、前記スライド部材４１の係合部４３は、前記縦フィン側係合部２３が挿入係合可能な切り欠き凹形状からなる。また、前記スライド部材４１の長手方向両端には取付ピン４４が形成され、前記横フィン３１ａの両端の回動軸３２ａと共に、前記枠体１１の左側側面１４及び右側側面１５における上側から二番面の横フィン軸支孔１７ａに挿入される。なお、前記スライド部材４１の取付ピン４４は、上半分が切り欠かれた半割形状からなり、前記横フィン軸支孔１７ａに緩く挿入されて前記スライド部材４１が前記横フィン３１ａの凹部３３でスライド可能とされ、また前記取付ピン４４を回動軸として上下方向へ回動可能とされている。さらに、前記スライド部材４１の略中央部には前後方向に長孔４５が、スライド操作用ノブ５１と係合する係合部として形成されている。前記長孔４５は、後述するスライド操作用ノブ５１のスライド部材係合ピン５６が挿入可能なサイズとされ、かつスライド操作用ノブ５１の操作時にスライド部材係合ピン５６が係合してスライド部材４１をスライドさせることのできる長さとされる。
【００２２】
スライド操作用ノブ５１は、図示の例では、上爪５２と下爪５３と前記上爪５２の前端及び下爪５３の前端を連結している側部５７とで構成され、前記側部５７とは反対の先端側５１ａが開口した横向きのＵ字形状からなる。前記上爪５２と下爪５３間は、前記横フィン３１ａとスライド部材４１が挿入可能な間隔とされている。
【００２３】
また、前記スライド操作用ノブ５１の前後長さは、前記横フィン３１ａとスライド部材４１がスライド操作用ノブ５１の上爪５２と下爪５３間に挿入された際に、前記上爪５２の先端が前記横フィン３１ａの操作用ノブ取付け孔３４を超えるように設定されていると共に、前記下爪５３の先端が前記操作用ノブ取付け孔３４を超えて前記スライド部材４１の長孔４５に至るまたは超えるように設定されている。前記上爪５２の下面と前記下爪５３の上面には、前記横フィン３１ａの操作用ノブ取付け孔３４に回動可能に挿入される回動軸５４，５５が形成され、さらに、前記下爪５３の上面先端側には、前記スライド部材４１の長孔４５に挿入されるスライド部材係合ピン５６が形成されている。前記スライド操作用ノブ５１は、前記横フィン３１ａの操作用ノブ取付け孔３４への前記回動軸５４，５５の挿入及び前記スライド部材４１の長孔４５へのスライド部材係合ピン５６の挿入係合によって、前記回動軸５４，５５を中心として左右方向へ回動可能になる。前記スライド操作用ノブ５１の左右方向への回動により、前記スライド部材係合ピン５６と前記長孔４５で係合しているスライド部材４１が、スライド操作用ノブ５１の前部側（図示の例では側部５７側）の移動方向とは反対方向、例えばスライド操作用ノブ５１の前部側を左方向へ動かせば、前記スライド部材４１が右方向へスライドするようになる。なお、前記スライド操作用ノブ５１の操作感は、前記上爪５２と下爪５３の間隔による前記横フィン３１ａの凹部３３の表面と前記スライド部材４１の接触程度や、前記スライド部材４１の両端の取付ピン４４と前記横フィン軸支孔１７ａとの接触程度を調節することによって所望の感覚にすることができる。また、前記横フィン３１ａの凹部３３と前記スライド部材４１との対向面に凹凸等を形成することによって、前記スライド操作用ノブ５１の操作感を調節したり、前記スライド部材４１を任意の位置へ維持する作用を高めたりしてもよい。
【００２４】
前記構成からなる空調用風向調節装置１０は、風向を上下方向へ調節する場合、前記横フィン３１の１つ、あるいはスライド操作用ノブ５１を上下方向へ動かし、前記回動用リンクプレート３８を介して全ての横フィン３１を上下方向へ回動させる。それに対し、風向を左右方向へ調節する場合、前記横フィン３１ａから突出している前記スライド操作用ノブ５１の前部を左右方向へスライドさせる。このスライドによって前記スライド操作用ノブ５１は、前記回動軸５４，５５を中心として回動し、前記スライド部材係合ピン５６が前記スライド操作用ノブ５１の前部のスライド方向とは反対方向へ回動する。そして、前記スライド部材係合ピン５６が前記長孔４５に挿入されて係合している前記スライド部材４１が、前記スライド操作用ノブ５１の前部のスライド方向とは反対方向へスライドし、それと同時に、前記スライド部材４１の係合部４３と係合している複数の縦フィン２１がスライド部材４１と同方向へ回動して、風向の左右方向調節が行われる。
【００２５】
なお、前記の例では、横フィンについては回動用リンクプレート３８を用いてリンクさせているが、横フィンについても縦フィンの回動と同様の構成にしてもよい。また、前記の例では、横フィンと縦フィンの両方を枠体に対して回動可能にしたが、何れか一方のフィンみを枠体に対して回動可能とし、他方のフィンについては枠体に固定し、あるいは図７に示した従来例のように枠体と一体に形成して、枠体と共に回動可能に構成してもよい。さらに、縦フィンを枠体に固定し、横フィンを本発明の構成によって回動可能としてもよい。また、前記スライド操作用ノブは前記スライド部材と一体に形成してもよい。さらにまた、前記スライド部材の係合部は、図６に示すように、回動可能フィン（図示の例では縦フィン２１）の前後方向の一端部（図示の例では前側端部）を挟む爪形状の係合部４７としてもよい。なお、図６において、図１〜図５と同様の部分は同一の符号で示す。
【図面の簡単な説明】
【００２６】
【図１】本発明の一実施形態に係る空調用風向調節装置の斜視図である。
【図２】同空調用風向調節装置の回動用リンクプレートを外した状態を示す斜視図である。
【図３】同空調用風向調節装置における横フィン、縦フィン、スライド部材及びスライド操作用ノブを示す斜視図である。
【図４】同空調用風向調節装置におけるスライド部材が配置されたフィン及びスライド操作用ノブを示す斜視図である。
【図５】同空調用風向調節装置におけるスライド部材の組み付けを示す斜視図である。
【図６】スライド部材の係合部について他の例を示す斜視図である。
【図７】従来の空調用風向調節装置の斜視図である。
【図８】従来の空調風向調節装置の縦フィン、横フィン及びリンク部材を示す斜視図である。
【符号の説明】
【００２７】
１０  空調用風向調節装置
１１  枠体
２１  縦フィン
３１  横フィン
３３  凹部
４１  スライド部材
４３  係合部
５１  スライド操作用ノブ
【図１】
2006123616.tif 000003
【図２】
2006123616.tif 000004
【図３】
2006123616.tif 000005
【図４】
2006123616.tif 000006
【図５】
2006123616.tif 000007
【図６】
2006123616.tif 000008
【図７】
2006123616.tif 000009
【図８】
2006123616.tif 000010